【手続補正書】
【提出日】平成19年9月11日(2007.9.11)
【手続補正１】
【補正対象書類名】明細書
【補正対象項目名】全文
【補正方法】変更
【補正の内容】
【書類名】  明細書
【発明の名称】補助グリップ
【特許請求の範囲】
【請求項１】
前方に指当接部を形成した略楕円柱状のグリップ本体と、該グリップ本体の前記指当接部に開口させて周方向に貫設させた穴又は凹溝とを備え、該穴又は凹溝に長さを有する食事器具や口腔衛生器具の基端辺を挿通させ保持部で保持させたことを特徴とする補助グリップ。
【請求項２】
前記保持部は前記グリップ本体の頂部又は頂部と底部から前記穴又は凹溝にネジ孔を螺設し、該ネジ孔にネジ棒を螺合させ、該ネジ棒の螺進により保持させることを特徴とする請求項１に記載の補助グリップ。
【請求項３】
前記保持部は前記グリップ本体の頂部又は頂部と底部から前記穴又は凹溝に弾性部材収納穴を成形し、該弾性部材収納穴に弾性部材を収納させ、該弾性部材の弾性により保持させることを特徴とする請求項１に記載の補助グリップ。
【請求項４】
前記グリップ本体の前記指当接部の相対する胴周面にカムを回動させる可動ハンドルを枢着させ、前記可動ハンドルを前記カムと共に枢動させて前記食事器具や口腔衛生器具の基端辺を押圧することにより先端を可動させることを特徴とする請求項２又は請求項３に記載の補助グリップ。
【請求項５】
前記グリップ本体の前記指当接部の胴周面に摺動によりカムを回動させる可動ハンドルを設け、前記可動ハンドルを操作して前記カムを回動させて前記食事器具や口腔衛生器具の基端辺を押圧することにより先端を可動させることを特徴とする請求項２又は請求項３に記載の補助グリップ。
【発明の詳細な説明】
【０００１】
【発明の属する技術分野】
本発明は、老人や、病気で手の自由がきかない人が食事を自分の手で食べるための補助の食事器具や歯ブラシ等を保持するグリップに関するものである。
【０００２】
【従来の技術】
従来の食事器具でスプーンやフォーク等は柄に太いグリップを取り付けていた。また、グリップが柄と同一方向に取り付けられていた。このため、パーキンソン病や、脳血管障害による手の麻痺や、リュウマチ等の病気や、腕に力のない老人等の、手の甲を上に向けることが難しい人には、従来の柄に太いグリップを取りつけたスプーンやフォーク等は使用が難しかった。また、スプーンやフォーク等につける太いグリップはグリップ部が本体と一体となっているものが多いため、グリップと本体を一緒に洗浄するため衛生上も良くなかった。箸に関しては、一端をバネ等で止めた物が多いが、構造上グリップが太くできなかった。また、コップ等に関しても柄の部分が稼働しないため、手首の捻りが必要であった。
【０００３】
【発明が解決しようとする課題】
病気等で関節や筋肉が動かしにくくなった場合、比較的大きな関節や筋肉は動かしやすい。このため、主に肘や、捻りを除いた腕首の曲げを使用することができるケースが多い。このため、食事器具を操作する動作、行動は、これらの肘や、捻りを除いた腕首の曲げという動作と、握る力の調整を主体とするのが妥当である。本発明は、これらの肘や、捻りを除いた腕首の曲げという動作を中心にした機能を取り入れた。また、一部の指が可動可能な場合も多く、一部の指の動きも組み合わせた動作を取り入れることにより、自分の手で楽しく食事ができたり、口腔衛生ができることを目的とする。
【０００４】
【課題を解決するための手段】
前記目的を達成するための本発明の補助グリップは、指当接部を形成したグリップ本体と、グリップ本体の指当接部に開口させて周方向に貫設させた穴又は凹溝とを備え、穴又は凹溝に食事器具や口腔衛生器具の基端辺を挿通させて保持部で保持させたものであり、更に、保持部はグリップ本体の頂部又は頂部と底部から穴又は凹溝にネジ孔を螺設し、ネジ孔にネジ棒を螺合させ、ネジ棒の螺進により保持させるものであり、更には、保持部はグリップ本体の頂部又は頂部と底部から穴又は凹溝に弾性部材収納穴を成形し、弾性部材収納穴に弾性部材を収納させ、弾性部材の弾性により保持させるものであり、加えて、グリップ本体の指当接部の相対する胴周面にカムを回動させる可動ハンドルを枢着させ、可動ハンドルをカムと共に枢動させて食事器具や口腔衛生器具の基端辺を押圧することにより先端を可動させるものであり、更に、グリップ本体の指当接部の胴周面に摺動によりカムを回動させる可動ハンドルを設け、可動ハンドルを摺動させてカムを回動させて食事器具や口腔衛生器具の基端辺を押圧することにより先端を可動させるものである。
【０００５】
【発明の実施の形態】
本発明は、老人や、病気で手の自由がきかない人が食事を自分の手で食べるための補助の食事器具や歯ブラシ等を保持する補助グリップに関するものであり、請求項１に記載の補助グリップは、前方に指当接部を形成した略楕円柱状のグリップ本体１と、該グリップ本体１の前記指当接部に開口し周方向に貫設させた穴３又は凹溝４とを備え、該穴３又は凹溝４に長さを有する食事器具２や口腔衛生器具の基端辺を挿通させ保持部５で保持させたことを特徴とするものである。
【０００６】
更に、請求項２に記載の補助グリップは、請求項１に記載の補助グリップにおいて、前記保持部５は前記グリップ本体１の頂部又は頂部と底部から前記穴３又は凹溝４にネジ孔９を螺設し、該ネジ孔９にネジ棒を螺合させ、該ネジ棒の螺進により保持させることを特徴とするものである。
【０００７】
更には、請求項３に記載の補助グリップは、請求項１に記載の補助グリップにおいて、前記保持部５は前記グリップ本体１の頂部又は頂部と底部から前記穴３又は凹溝４に弾性部材収納穴８を成形し、該弾性部材収納穴８に弾性部材を収納させ、該弾性部材の弾性により保持させるものである。
【０００８】
加えて、請求項４に記載の補助グリップは、請求項２又は請求項３に記載の補助グリップにおいて、前記グリップ本体１の前記指当接部の相対する胴周面にカム１０を回動させる可動ハンドル６を枢着させ、前記可動ハンドル６を前記カム１０と共に枢動させて前記食事器具２や口腔衛生器具の基端辺を押圧することにより先端を可動させることを特徴とするものである。
【０００９】
更に、請求項５に記載の補助グリップは、請求項２又は請求項３に記載の補助グリップにおいて、前記グリップ本体１の前記指当接部の胴周面に摺動によりカム１０を回動させる可動ハンドル６を設け、前記可動ハンドル６を摺動して前記カム１０を回動させて前記食事器具２や口腔衛生器具の基端辺を押圧することにより先端を可動させることを特徴とするものである。
【００１０】
以下、本発明に係る補助グリップの各実施形態について、図面を用いて説明する。
【００１１】
即ち、図１に示すように、グリップ本体１は前方に指で把持し易いように指当接部を形成しており、該指当接部の胴周面に開口するグリップ本体１を貫通する穴３又は凹溝４を水平方向に備え、スプーン、フォーク、ナイフ等の長さを有する食事器具２の基部辺を穴３又は凹溝４に差し込むものであり、前記穴３は食事器具２の基部辺を挿通できる長方形状又は長円形状のもので、凹溝４は胴周から水平方向にコ字状に切り込んだものである。
【００１２】
また、図２に図示するものは、グリップ本体１に備えられた穴３又は凹溝４に長さを有する食事器具２の基部辺を差し込み、弾性部材８やネジ９を用いて食事器具２の基部辺を保持する保持部５を備えたのものである。
【００１３】
つまり、図２Ａに図示するものは、グリップ本体１の頂部から穴３又は凹溝４にネジ孔９を螺設し、ネジ孔９にネジ棒を螺合させ、ネジ棒を螺進させることによりスプーン、フォーク等の食事器具２の基部辺を保持させるものである。
【００１４】
また、図２Ｂに図示するものは、グリップ本体１の頂部から穴３又は凹溝４に弾性部材収納穴８を成形し、弾性部材収納穴８に弾性部材を収納させ、弾性部材の弾性により食事器具２の基端辺を保持させるもので、図示するものはコイルスプリングを用いているものであるが、板バネでも、線状のバネを用いても、ゴム等の弾性部材を用いても構わないものである。
【００１５】
更には、食事器具２が箸である場合、２本を使用することから、グリップ本体１を貫通する穴３又は凹溝４も上下の２段に平行させて貫設させ、保持部５もグリップ本体１の頂部と底部から夫々の穴３又は凹溝４に設けているものである。
【００１６】
次に、図３は手で握った状態を示すもので、グリップ本体１の前方に形成した指当接部に対して食事器具２の基部辺が直角に近い方向に保持することができるものである。
【００１７】
次いで、図４は箸を保持、可動する一例を示し、グリップ本体１の周方向に上下に２段の穴３を備え、一膳の箸７を夫々の穴３に差しこむ構造とし、グリップ本体１は上下に備えた弾性部材８であるコイルスプリングで箸７の基端辺を押圧する保持部５を備えたものである。
【００１８】
さらに、保持した箸７を握る力により可動できる、可動ハンドル６を備えているもので、これは、グリップ本体１に握る力を加えることで、可動ハンドル６を押し、可動ハンドル６に固定されたカム１０を回動させることで、カム１０が箸７の基端辺を押圧して、箸７の先端を可動させるもので、つまり、物を挟むものである。
【００１９】
そして、図５に図示するものは箸７を保持、可動する他の実施例を示しているもので、グリップ本体１の周方向に穴３を備え、箸７を穴３に差しこむ構造とし、グリップ本体１には弾性部材８で箸７を押さえる保持部５を備えると共に、グリップ本体１に保持した箸７を指を握ることで摺動する可動ハンドル６を備えており、可動ハンドル６の摺動により回動するカム１０を備えているもので、指を軽く動かし可動ハンドル６を引くことで、カム１０が箸７の基端辺を押圧して、箸７の先端を可動させ、物を挟むものである。
【００２０】
つまり、カム１０が可動することにより、箸７を動かす動力を得るもので、図６に示すように、グリップ本体１の手の握りと箸７の基部辺が直角に保持することができ、保持した箸７を可動ハンドル６を操作して物を挟む機構と成るものである。
【００２１】
本発明のグリップ本体１は、左右どちらの手でも使用でき、保持部５には、長さを有する歯ブラシ等の衛生器具や、鉛筆、筆等の筆記具も保持させることができ、使いやすくなるものである。
【００２２】
また、グリップ本体１の可動部分である可動ハンドル６及びカム１０を用いないで、グリップ本体１の材質に柔らかい材料やグリップ本体１を空洞にすることにより、グリップ本体１を握ったときの変形を利用して、食事器具２や口腔衛生器具を握る力で可動可能にすることも可能なものである。
【００２３】
【発明の効果】
パーキンソン病や脳血管障害による手の麻痺やリュウマチ等の病気や、腕に力のない老人等が自分の手で食事がしやすくなる。
【００２４】
【図面の簡単な説明】
【図１】本発明に係る食事器具を保持する補助グリップの説明図である。
【図２】本発明に係る食事器具を補助グリップへ保持する説明図である。
【図３】本発明に係る補助グリップの使用例の説明図である。
【図４】本発明に係る握る力で食事器具を可動可能とした補助グリップの説明図である。
【図５】本発明に係る指で食事器具を可動可能とした補助グリップの説明図である。
【図６】本発明に係るハンドル操作で可動可能とした補助グリップの使用例の説明図である。
【００２５】
【符号の説明】
１…グリップ本体
２…食事器具
３…穴
４…凹溝
５…保持部
６…可動ハンドル
７…箸
８…弾性部材収納穴
９…ネジ孔
１０…カム